(57)【要約】【課題】操作性、耐久性に優れた係合具の提供を目的とする。【解決手段】係合具１の雄ホック５は、全体略凸条体からなり、略円柱形状をなす先頭部５Ａの先端周部が後方周部８Ａよりも放射方向で外方に張り出すようにして先頭部の先端周部に突縁部８を備える。一方、雄ホック５を係合する雌ホック７は、雄ホック５の先頭部５Ａを矢印Ａ方向に係入する雌穴１３を、円形をなす上面中心に備えた全体略円筒形状の基体１４を備え、基体１４の内部には雄ホック５の突縁部８と係合または係合解除することを可能とした係合体２０を備えてなる。【選択図】図４
2012095786.tif 000002
【特許請求の範囲】
【請求項１】
全体略凸条体からなり、略円柱形状をなす先頭部の先端周部が後方周部よりも放射方向で外方に張り出すようにして先頭部の先端周部に突縁部を備える雄ホックと、上記雄ホックの先頭部を係入する雌穴を、円形をなす上面中心に備えた全体略円筒形の基体を備え、該基体の内部には、雄ホックの先頭部が雌穴から係入される状態で略円柱形状をなす雄ホックの先頭部を、中心に形成される孔部に係入する全体環状のものとされ、雄ホックの突縁部と係合または係合解除することを可能とした係合体を、前記雌穴の内部に留置する状態で位置決めする雌ホックと、からなる係合具において、
前記雄ホックの円柱形状をなす先頭部の円形をなす先端面の、少なくとも中心部に、永久磁石で形成する吸着部を備えることとし、
一方、係合体が留置する状態で位置決めされる基体内部の雌穴の内底部における少なくとも中心位置には、雄ホックの先頭部が雌穴から基体の内部に係入され、雌穴の内底部に近接する状態で前記雄ホックの吸着部と吸着可能な永久磁石で形成される被吸着部を備えることとし、
前記雌穴内に留置する状態で位置決めされる環状の係合体は、雄ホックの先頭部が雌穴から係入され、吸着部が被吸着部に近接する状態で、係入する雄ホックの先頭部における先端周部に形成される突縁部と衝合して放射方向に拡開することを可能とし、吸着部が被吸着部に吸着する状態で雄ホックの先頭部における後方周部に位置決めして突縁部と係合するよう縮径可能な弾性体からなり、周部の１ヶ所に常時は雄ホックの先頭部における後方周部の外径よりも小さな幅の切欠部を備えた環状のスナップリングとし、
また、こうして形成される係合体を雌穴の内部に留置する状態で位置決めする全体略円筒形の基体には、
内部に留置する係合体における切欠部の形成位置と周方向における同位置に、基体の雌穴の中心を基準にして法線方向に沿って、雌穴内で係合体と係合される雄ホックの先頭部をスライドさせて通過させることを可能とするスリットを備え、雄ホックの先頭部における突縁部は、雄ホックの先頭部が雌穴より基体内部に係入し、雄ホックの先頭部における突縁部と衝合して放射方向に拡開し、吸着部が被吸着部に吸着する係合体が縮径する係合状態において、前記雄ホックの先頭部の雌穴に対する係入方向と逆方向での係合解除が行えないよう先頭部の先端周部が、最先頭部から後方に向けてテーパ形状に拡開するようにして形成し、
吸着部が被吸着部に吸着し、スナップリングにて形成される係合体が雄ホックの先頭部における後方周部と係合するように縮径する雄ホックの雌ホックに対する係合状態から、雄ホックを雌ホックから係合解除する場合に、吸着部を被吸着部から基体の雌穴の中心に対して放射方向にスライドさせるように雄ホックを雌ホックの基体から離隔させ、スナップリングにて形成される係合体の切欠部に雄ホックの先頭部における後方周部を通過させるようにして係合体を拡開し、雄ホックの先頭部を係合体の孔部に挿通される係合状態から、孔部外方に位置させる係合解除状態にするとともに、切欠部を通過させた雄ホックの先頭部を、さらに基体の雌穴中心に対して放射方向にスライドさせ、スリットを通過させるように構成したことを特徴とする係合具。
【請求項２】
係合体は合成樹脂製あるいは金属製の可撓材で形成してなる請求項１に記載の係合具。
【請求項３】
係合体には雌穴の内部に留置する状態で基体に位置決め・支持するための位置決め片を備えることとしてなる請求項１に記載の係合具。
【請求項４】
雄ホックの先頭部における突縁部は、先頭周部の周方向に沿って連続して形成されるものである請求項１に記載の係合具。
【発明の詳細な説明】
【技術分野】
【０００１】
本発明は、例えば財布、セカンドバッグなどに使用され、止着する係合部と被係合部間の係合を行うための係合具に関する。
【背景技術】
【０００２】
従来、財布、セカンドバッグなどにおいて使用される係合具としては、押ホックが一般的とされる。押ホックとしては、下記特許文献１に示すように全体略凸条体からなり、略円柱形状をなす先頭部の先端周部が後方周部よりも放射方向で外方に張り出すようにして先頭部の先端周部に突縁部を備える雄ホックと、上記雄ホックの先頭部を係入する雌穴を、円形をなす上面中心に備えた全体略円筒形の基体を備え、該基体の内部には、雄ホックの先頭部が雌穴から係入される状態で略円柱形状をなす雄ホックの先頭部を中心に形成される孔部に係入する全体環状のものとされ、雄ホックの突縁部と係合または係合解除することを可能とした係合体を、前記雌穴の内部に留置する状態で位置決めする雌ホックと、からなる。
すなわち、この種の係合具は、止着する係合部に雄ホックを、被係合部に雌ホックを支持させるようにし、係合部と被係合部間の係合または係合解除を可能にしている。
【０００３】
また最近では、下記特許文献２に示すように係合具の一方の係合中心に永久磁石にて形成される吸着部を備えることとし、他方の被係合中心にも吸着部と吸着する永久磁石により形成される被吸着部を備えることとし、被吸着部と吸着部との相互吸引により、確実かつ位置合わせ可能に係合部と被係合部間の係合を可能とした係合具も提案されている。
【先行技術文献】
【特許文献】
【０００４】
【特許文献１】特開２００９−７２３２９号公報
【特許文献２】特許第３８４９１１３号公報
【発明の開示】
【発明が解決しようとする課題】
【０００５】
ところで出願人は、こうした従来の係合具において、雄ホックと雌ホック間の係合を確実にし、雄ホックが雌ホックから容易に離脱せず、かつ両者の係合・係合解除を容易に行うことのできる操作性の良い係合具の開発を行っていたところである。
【０００６】
というのは、従来の押ホックからなる係合具は、少しの外力で雄ホックが雌ホックから容易に係合解除されてしまい、このような不具合は、通常弾性体で形成される係合体の弾性力が使用を繰り返すことで低下し、起こり易くなるものとされていた。
【０００７】
本発明は、こうした従来の不具合に着目してなされたものであり、操作性に優れ、耐久性に優れた係合具を提供することを目的としたものである。
【課題を解決するための手段】
【０００８】
上記目的を達成するため、本発明の請求項１は、全体略凸条体からなり、略円柱形状をなす先頭部の先端周部が後方周部よりも放射方向で外方に張り出すようにして先頭部の先端周部に突縁部を備える雄ホックと、上記雄ホックの先頭部を係入する雌穴を、円形をなす上面中心に備えた全体略円筒形の基体を備え、該基体の内部には、雄ホックの先頭部が雌穴から係入される状態で略円柱形状をなす雄ホックの先頭部を、中心に形成される孔部に係入する全体環状のものとされ、雄ホックの突縁部と係合または係合解除することを可能とした係合体を、前記雌穴の内部に留置する状態で位置決めする雌ホックと、からなる係合具において、前記雄ホックの円柱形状をなす先頭部の円形をなす先端面の、少なくとも中心部に、永久磁石で形成する吸着部を備えることとし、一方、係合体が留置する状態で位置決めされる基体内部の雌穴の内底部における少なくとも中心位置には、雄ホックの先頭部が雌穴から基体の内部に係入され、雌穴の内底部に近接する状態で前記雄ホックの吸着部と吸着可能な永久磁石で形成される被吸着部を備えることとし、前記雌穴内に留置する状態で位置決めされる環状の係合体は、雄ホックの先頭部が雌穴から係入され、吸着部が被吸着部に近接する状態で、係入する雄ホックの先頭部における先端周部に形成される突縁部と衝合して放射方向に拡開することを可能とし、吸着部が被吸着部に吸着する状態で雄ホックの先頭部における後方周部に位置決めして突縁部と係合するよう縮径可能な弾性体からなり、周部の１ヶ所に常時は雄ホックの先頭部における後方周部の外径よりも小さな幅の切欠部を備えた環状のスナップリングとし、また、こうして形成される係合体を雌穴の内部に留置する状態で位置決めする全体略円筒形の基体には、内部に留置する係合体における切欠部の形成位置と周方向における同位置に、基体の雌穴の中心を基準にして法線方向に沿って、雌穴内で係合体と係合される雄ホックの先頭部をスライドさせて通過させることを可能とするスリットを備え、雄ホックの先頭部における突縁部は、雄ホックの先頭部が雌穴より基体内部に係入し、雄ホックの先頭部における突縁部と衝合して放射方向に拡開し、吸着部が被吸着部に吸着する係合体が縮径する係合状態において、前記雄ホックの先頭部の雌穴に対する係入方向と逆方向での係合解除が行えないよう先頭部の先端周部が、最先頭部から後方に向けてテーパ形状に拡開するようにして形成し、吸着部が被吸着部に吸着し、スナップリングにて形成される係合体が雄ホックの先頭部における後方周部と係合するように縮径する雄ホックの雌ホックに対する係合状態から、雄ホックを雌ホックから係合解除する場合に、吸着部を被吸着部から基体の雌穴の中心に対して放射方向にスライドさせるように雄ホックを雌ホックの基体から離隔させ、スナップリングにて形成される係合体の切欠部に雄ホックの先頭部における後方周部を通過させるようにして係合体を拡開し、雄ホックの先頭部を係合体の孔部に挿通される係合状態から、孔部外方に位置させる係合解除状態にするとともに、切欠部を通過させた雄ホックの先頭部を、さらに基体の雌穴中心に対して放射方向にスライドさせ、スリットを通過させるように構成したことを特徴とする係合具としたものである。
【０００９】
また請求項２に係る発明は、係合体は合成樹脂製あるいは金属製の可撓材で形成してなる請求項１に記載の係合具としている。
【００１０】
また請求項３に係る発明は、係合体には雌穴の内部に留置する状態で基体に位置決め・支持するための位置決め片を備えることとしてなる請求項１に記載の係合具としている。
【００１１】
さらに請求項４に係る発明は、雄ホックの先頭部における突縁部は、先頭周部の周方向に沿って連続して形成されるものである請求項１に記載の係合具としている。
【発明の効果】
【００１２】
本発明によれば、雄ホックの雌ホックに対する係合を、吸着部を被吸着部に吸着させるようにして確実かつ容易に行うことを可能とし、雄ホックの先頭部における突縁部は、雄ホックの先頭部が雌穴より基体内部に係入し、雄ホックの先頭部における突縁部と衝合して放射方向に拡開し、吸着部が被吸着部に吸着する係合体が縮径する係合状態において、前記雄ホックの先頭部の雌穴に対する係入方向と逆方向での係合解除が行えないよう先頭部の先端周部が、最先頭部から後方に向けてテーパ形状に拡開するようにして形成しているので、雄ホック側において多少の外力が加わった状態においても雄ホックが雌ホックから容易に離脱することがない。また雄ホックを雌ホックから係合解除する場合、吸着部を被吸着部から基体の雌穴の中心に対して放射方向にスライドさせるように雄ホックを雌ホックの基体から離隔させ、スナップリングにて形成される係合体の切欠部に雄ホックの先頭部における後方周部を通過させるようにして係合体を拡開し、雄ホックの先頭部を係合体の孔部に挿通される係合状態から、孔部外方に位置させる係合解除状態にするとともに、切欠部を通過させた雄ホックの先頭部を、さらに基体の雌穴中心に対して放射方向にスライドさせ、スリットを通過させるようにして行うことができる。この結果、簡単な操作により雄ホックを雌ホックから係合解除することが可能となり、操作性、耐久性に優れた係合具の提供を行うことが可能となる。
【図面の簡単な説明】
【００１３】
【図１】本発明の実施形態に係る係合具が取付けられるセカンドバッグを示す斜視図である。
【図２】係合具の雄ホックを雌ホックから係合解除した状態を示す斜視図である。
【図３】図２のIII部を拡大して示した状態を示す斜視図である。
【図４】雄ホックと雌ホックの構造を示す斜視図である。
【図５】雄ホックのセカンドバッグに対する取付け状態を示す斜視図である。
【図６】雌ホックの分解状態を示す斜視図である。
【図７】図４のＶII−ＶII線に沿い、雄ホックを雌ホックの基体における雌穴に係入する状態を示す断面図である。
【図８】雄ホックの吸着部を雌ホックの基体側の被吸着部に吸着させ、係合体に雄ホックの先頭部の突縁部を係合させた状態を示す断面図である。
【図９】雄ホックの雌ホックに対する係合状態から雄ホックを係合解除する状態を示す図４のＩＸ−ＩＸ線に沿う断面図である。
【図１０】雄ホックを雌ホックの基体中心から放射方向にスライドさせ、雌ホックから係合解除した状態を示す断面図である。
【発明を実施するための形態】
【００１４】
以下、本発明の実施形態を図１ないし図１０に基づいて説明する。図１ないし図１０に示す実施形態は、押しホックとしての係合具１に類する。この係合具１は、例えば図１、図２に示すセカンドバッグ２において、開口部３を覆う係合部としての折り返し蓋４の内側に雄ホック５を、被係合部としての表片６の表面に雌ホック７を配設するようにして形成される（図２、図３参照）。
【００１５】
雄ホック５は、図３に示すように全体略凸条体からなり、先頭部５Ａを略円柱形状とし、基端部５Ｂを円板形状として形成してなる。略円柱形状をなす雄ホック５の先頭部５Ａは、その先端周部が後方周部８Ａよりも放射方向で外方に張り出すようにして先頭部５Ａの先端周部に突縁部８を備えるように形成している（図４参照）。
【００１６】
すなわち、雄ホック５は、折り返し蓋４を構成する図５に示す２枚の係合面材９Ａ、９Ｂのうち、係合面材９Ａに穿設される丸孔１０に基端部５Ｂの後面に形成される脚部１１を挿通し、係合面材９Ａと係合面材９Ｂの間に配設される止めリング１２を脚部１１に取着し、折り返し蓋４の内側の係合面材９Ａに雄ホック５を止着させるようにしている（図７〜図１０参照）。この結果、折り返し蓋４の内側に、雄ホック５が先頭部５Ａを露出する状態で位置決めされることとなる（図２参照）。なお、係合面材９Ａと９Ｂは相互に縫合され、折り返し蓋４を構成するようにしている。
【００１７】
一方、雄ホック５の先頭部５Ａを、図３の矢印Ａ方向に向けて係合可能とする雌ホック７は、雄ホック５の先頭部５Ａを矢印Ａ方向に係入する雌穴１３を、円形をなす上面中心に備える全体略円筒形状のものとされ、全体略円筒形状の基体１４を備えるものとされる（図３、図４参照）。
【００１８】
すなわち、雌ホック７は、図６に示すように全体円筒形状の基体本体１４Ａと、全体円板形状の支持基体１４Ｂを嵌合させて形成され、内部に円筒形の空間１４Ｃを備えるようにして図４に示すように組立可能とされる（図６参照）。
【００１９】
雌ホック７は、図６に示すように円板形状の支持基体１４Ｂの後面に形成される脚部１５を、セカンドバッグ２の表片６を構成する２枚の被係合面材１６Ａ、１６Ｂのうち、被係合面材１６Ａに穿設される丸孔１７に挿通し、被係合面材１６Ａと被係合面材１６Ｂの間に配設される止めリング１８を該脚部１５に取着し、表片６に止着するようにしている（図２参照）。なお、被係合面材１６Ａと１６Ｂは相互に縫合され、表片６を構成するようにしている。
【００２０】
さらに支持基体１４Ｂと基体本体１４Ａを嵌合させて形成され、組立てられる基体１４の内部の空間１４Ｃには、全体環状のものとされ、中心に孔部１９を備えた係合体２０が留置する状態で位置決めされる。全体環状をなす係合体２０は、周方向（図６のθ方向）での周部１ヶ所に切欠部２１を備える合成樹脂製のスナップリングとされ、切欠部２１に対する周方向（θ方向）での対向位置には、支持基体１４Ｂ側に向けて突出する位置決め片２２が備えられる（図６のＢ部で示す半割状態の係合体２０を参照）。位置決め片２２は支持基体１４Ｂの周方向での任意の角度位置に穿設される係合孔２３に挿入する状態で結合される（図６参照）。
【００２１】
中心に孔部１９を備え、周方向（θ方向）での１ヶ所に切欠部２１を備える係合体２０は、位置決め片２２を支持基体２３の結合孔２３に結合させることで雌穴１３の内部の空間１４Ｃにおいて、切欠部２１が常時一定の方向（図４に示すＣ方向）を向くように基体１４の内部に留置する状態で位置決めされることとなる。
【００２２】
この雌ホック７の雌穴１３内の係合体２０は、図７の矢印Ａ方向に示すように、雌穴１３に向けて係入される状態で略円柱形状をなす雄ホック５の先頭部５Ａを、中心に形成する孔部１９に係入するようにし、雄ホック５の先端の突縁部８と係合または係合解除することを可能にしている。
【００２３】
ここで雌穴１３内に向けて矢印Ａ方向に係入される雄ホック５の円柱形状をなす先頭部５Ａの円形をなす先端面の中心位置には、図４あるいは図８に示すように永久磁石を埋設する状態で吸着部２４が備えられ、形成される。一方、図４に示すように係合体２０が留置する状態で位置決めされる基体１４の内部の空間１４Ｃにおいては、雌穴１３の内底部を構成する支持基体１４Ｂの中心位置に、雄ホック５の先頭部が雌穴１３から基体１４の内部に係入され、雌穴１３の内底部に近接する状態で、前記雄ホック５の吸着部２４と相互に吸引し合い、吸着可能な被吸着部２５が備えられる。
【００２４】
被吸着部２５は図７ないし図１０に示すように支持基体１４Ｂの内部中心位置に永久磁石を埋設するようにして形成される。ここで雌穴１３の内底部を構成する支持基体１４Ｂの中心位置に備えられる被吸着部２５は、雄ホック５の先頭部５Ａの先端面における吸着部２４の磁石極性（例えばＮ極）と異なる極性（Ｓ極）の吸引力を作用させるようにしている。
【００２５】
雌穴１３内に留置する状態で位置決めされる環状の係合体２０は、雄ホック５の先頭部５Ａが図７の矢印Ａ方向に向けて雌穴１３から係入される状態において、雄ホック５の吸着部２４が基体１４側の被吸着部２５に近接し、吸着部２４と被吸着部２５が相互に吸引して雄ホック５の先端周部に形成される突縁部８が、孔部１９を通過するようにして衝合することとなる。ここで切欠部２１を備えた環状の係合体２０は、孔部１９の内径が雄ホック５の突縁部８の外径よりも常時は小さいものとされ、係合体２０は孔部１９に向けて内方に突出する係合爪２６を備え、さらに突縁部８を係合状態で収容可能とする係合溝２７を内周部に備える断面コ字形状のものとされる（図８参照）。
【００２６】
すなわち、係合体２０は、図７の矢印Ａ方向に雄ホック５が係入されると、雄ホック５の最先頭部に形成される突縁部８が、係合爪２６の部分と衝合し、全体弾性体からなり、可撓性を有する合成樹脂製のスナップリングからなる係合体２０は、該衝合により切欠部２１を中心に矢印Ｄ方向で放射方向に拡開される（図６参照）。
【００２７】
さらに雄ホック２５の先頭部５Ａにおける先端面の吸着部２４が、支持基体１４Ｂの被吸着部２５に吸着する状態まで雄ホック５を矢印Ａ方向に係入させると、係合爪２６と衝合していた雄ホック５の最先端部の突縁部８が、係合体２０の断面コ字形状の係合溝２７に嵌合されるように収容され（図８参照）、係合体２０は図６の矢印Ｅ方向に縮径し、この結果、雄ホック５の先頭部５Ａにおける後方周部８Ａと係合爪２６とが係合することとなる。
【００２８】
ここで雄ホック５の先頭部５Ａにおける突縁部８は、雄ホック５の先頭部５Ａが雌穴３より基体１４の内部に矢印Ａ方向に係入され、前記係合体２０が雄ホック５の先頭部５Ａにおける突縁部８が係合爪２６と衝合して放射方向（図６、図７Ｄ方向）に拡開し、続く吸着部２４が被吸着部２５に吸着して縮径方向（図６Ｅ方向）に縮径する雄ホック５の雌ホック７に対する係合状態において、前記雄ホック５の先頭部５Ａの雌穴１３に対する係入方向（図７矢印Ａ方向）と逆方向（図８矢印Ｐ方向）での係合解除が行えないよう先頭部５Ａの先端周部が最先端部から後方に向けてテーパ形状に拡開するようにして形成している（図７、図８参照）。加えて、係合体２０に形成される切欠部２１は、係合体２０が矢印Ｅ方向に縮径されている常時の状態において、雄ホック５の先頭部５Ａにおける後方周部８Ａの外径Ｗ（図４参照）よりも小さな幅Ｔ１（図６参照）に形成されているため、図８、図９に示す係合体２０による雄ホック５の先頭部５Ａの係合状態において、常時は孔部１９内に係合された状態が保持されることになる。
【００２９】
こうして形成され、全体可撓性を有する弾性材からなる係合体２０を雌穴１３の内部に留置する状態で位置決めする全体略円筒形の基体１４には、内部に留置する係合体２０における切欠部２１の形成位置と周方向（θ方向）における同位置に、スリット２８を備えるようにしている（図４、図９、図１０参照）。すなわち、基体１４は、位置決め片２２を結合孔２３に結合させるようにして係合体２０を支持基体１４Ｂに支持し、さらにこうして支持基体１４Ｂに支持された係合体２０の切欠部２１が周方向（θ方向）で対応するように支持基体１４Ｂと基体本体１４Ａを結合して組立てられる（図６参照）。
【００３０】
この結果、基体１４内の係合体２０の切欠部２１とスリット２８は、基体１４において、基体１４の雌穴１３の中心を基準にして矢印Ｃ方向（図４参照）の法線方向に対応することとなる。ここで、このスリット２８は、雌穴１３内で係合体２０と係合される雄ホック５の先頭部５Ａをスライドさせて通過させることを可能とする幅を備えるように予め形成される。
【００３１】
吸着部２４が被吸着部２５に吸着し、スナップリングにて形成される係合体２０の係合爪２６と雄ホック５の先頭部５Ａにおける後方周部８Ａとが係合し、図６の矢印Ｅ方向に縮径し突縁部８が断面コ字形状の係合溝２７に嵌合する雄ホック５の雌ホック７に対する係合状態から、雄ホック５を雌ホック７から係合解除する場合、先ず図９に示すように係合部としての折り返し蓋４を矢印Ｑ１方向にスライドさせる。すなわち、こうした操作により、被吸着部２５に吸着される吸着部２４を、被吸着部２５から基体１４の雌穴１３の中心に対して放射方向に矢印Ｃ方向（図４参照）に沿ってスライドさせることが可能となり、雄ホック５を雌ホック７の基体１４から離隔させることが可能となる。
【００３２】
ここでスナップリングにて形成される係合体２０の切欠部２１に、雄ホック５の先頭部５Ａにおける後方周部８Ａを通過させるようにするが、後方周部８Ａの外径Ｗ（図４参照）は、係合体２０の縮径状態にある切欠部２１の幅Ｔ１よりも小さく形成されているため、通過させる場合には雄ホック５の突縁部８と係合体２０の切欠部２１を衝合させ、係合体２０を図６の矢印Ｄ方向に拡開する。この結果、雄ホック５は、先頭部５Ａの係合体２０の孔部１９に挿通する係合状態（図９に示す状態）から、孔部１９の外方に位置させる係合解除状態（図１０に示す状態）にすることが可能になる。さらに切欠部２１を通過させた雄ホック５の先頭部５Ａを、基体１４の雌穴１３を中心にして放射方向（図９のＱ１方向）にスライドさせ、スリット２８を通過させることが可能となり、この結果、折り返し蓋４を矢印Ｑ２方向（図１０参照）に係合解除することが可能となる。これによりセカンドバッグ２の開口部３内を外部に向けて開放することが可能となる。
【００３３】
このように上記実施形態に係る係合具１によれば、雄ホック５の雌ホック７に対する係合を、永久磁石により形成される吸着部２４を同じく永久磁石により形成される被吸着部２５に吸着させるようにして確実に行うことが可能となる。
【００３４】
また雄ホック５の先頭部５Ａにおける突縁部８は、雄ホック５の先頭部５Ａが雌穴１３より基体１４の内部に係入し、雄ホック５の先頭部５Ａにおける突縁部８と衝合して放射方向に拡開し、さらに吸着部２４が被吸着部２５に吸着する係合体２０の縮径状態において、雄ホック５の先頭部５Ａの雌穴１３に対する係入方向（図７Ａ方向）と逆方向（図８Ｐ方向）での係合解除が行えないよう先頭部５Ａの先端周部が最先頭部から後方に向けてテーパ形状に拡開するように突縁部８を形成しているため、雄ホック５側において多少の外力が加わった状態においても雄ホック５が雌ホック７から容易に離脱することがない。このため折り返し蓋４は、表片６に対して容易に離脱することなく係合させることが可能となる。
【００３５】
また雄ホック５を雌ホック７から係合解除する場合、吸着部２４を被吸着部２５から基体１４の雌穴１３の中心に対して放射方向にスライドさせるように雄ホック５を雌ホック７の基体１４から離隔させ、スナップリングにて形成される係合体２０の切欠部２１に雄ホック５の先頭部５Ａにおける後方周部８Ａを通過させるようにして係合体２０を拡開し、雄ホック５の先頭部５Ａを係合体２０の孔部１９に挿通される係合状態から、孔部１９の外方に位置させる係合解除状態にするとともに、切欠部２１を通過させた雄ホック５の先頭部５Ａを、さらに基体１４の雌穴１３の中心に対して放射方向にスライドさせ、スリット２８を通過して行うことが可能となる。
【００３６】
この結果、簡単な操作により、雄ホック５を雌ホック７から係合解除することが可能となり、操作性、耐久性に優れた係合具の提供を行うことができる。
【００３７】
上記実施形態によれば、雄ホック５の先頭部５Ａにおける突縁部８を、図４あるいは図５に示すように先頭周部の周方向に沿って連続して形成するようにしているが、所定の間隔をもって間欠的に形成するようにしてもよい。
【００３８】
また上記実施形態によれば、係合体２０を全体可撓性を有し、図６の矢印Ｄ方向あるいはＥ方向に示すように拡開・縮径可能な弾性を有する合成樹脂製のスナップリングで形成しているが、もちろん金属製の環状スプリングからなる可撓材で形成してもよい。また、上記実施形態では、係合体２０を内方に向けて係合爪２６を形成し、係合溝２７を内方に備えた断面コ字状のものとしているが、係合体２０はこのような形態のものに限定されず、切欠部を備え、係入される雄ホック５の突縁部８と係合可能なＣ字形状の環状スプリングのようなものとしてもよい。
【００３９】
さらに上記実施形態によれば、吸着部２４を雄ホック５の先頭部における円形をなす先端面の中心部に永久磁石を埋設するように形成しているが、例えば先端面の全体に永久磁石を貼り付け、先端面の全体を吸着部２４としてもよい。
【００４０】
一方、吸着部２４を吸着する被吸着部２５についても、上記実施形態では、支持基体１４Ｂの内部中心位置に永久磁石を埋設するように形成しているが、例えば支持基体１４Ｂの表面全体に永久磁石を貼り付け、基体１４内部における雌穴１３の内底部全体を被吸着部２５としてもよい。
【産業上の利用可能性】
【００４１】
以上のように、本発明は、雄ホック側において多少の外力が加わった状態においても雄ホックが雌ホックから容易に離脱することもなく、簡単な操作により雄ホックを雌ホックから係合解除することが可能となるため、財布、セカンドバッグなど、係合具を必要とする様々な商品に取付け、応用することが可能となる。
【符号の説明】
【００４２】
１                  係合具（押しホック）
２                  セカンドバッグ
３                  開口部
４                  折り返し蓋（係合部）
５                  雄ホック
５Ａ                先頭部
５Ｂ                基端部
６                  表片（被係合部）
７                  雌ホック
８                  突縁部
８Ａ                後方周部
９Ａ、９Ｂ          係合面材
１６Ａ、１６Ｂ      被係合面材
１０、１７          丸孔
１１、１５          脚部
１２、１８          止めリング
１３                雌穴
１４                基体
１４Ａ              基体本体
１４Ｂ              支持基体
１４Ｃ              空間
１９                孔部
２０                係合体
２１                切欠部
２２                位置決め片
２３                結合孔
２４                吸着部
２５                被吸着部
２６                係合爪
２７                係合溝
２８                スリット
【図１】
2012095786.tif 000003
【図２】
2012095786.tif 000004
【図３】
2012095786.tif 000005
【図４】
2012095786.tif 000006
【図５】
2012095786.tif 000007
【図６】
2012095786.tif 000008
【図７】
2012095786.tif 000009
【図８】
2012095786.tif 000010
【図９】
2012095786.tif 000011
【図１０】
2012095786.tif 000012